(57)【要約】【課題】容器を保持すること及び密封機構を操作することの両方について、ユーザが片手を使って容易に操作できる密封機構を有する液体容器蓋を提供する。【解決手段】容器に使用され、蓋の上面に配置された注ぎ口を有する液体容器蓋が開示され、該蓋は、蓋の上面で注ぎ口の後ろに配置された通気口と、蓋の上面で通気口の後ろに配置された一対のＵ形突出部と、その下面にトラニオンを有するシールプレートと、下面から下方に延び、トラニオンと向かい合うポストと、シールプレートのポストに取り外し可能に配置されたガスケットと、を含み、シールプレートのトラニオンは、回動可能に一対のＵ形突出部に係合し、シールプレートが、第１の上昇位置からガスケットが注ぎ口に挿入され注ぎ口を密封する第２の下降位置まで片持ち動作で回動できる。【選択図】図１
2009227342.tif 000002
【特許請求の範囲】
【請求項１】
外壁及び開口を境界付ける上周辺リムを有する容器用の液体容器蓋であって、
蓋の上面に配置された注ぎ口と、
蓋の上面に配置された通気口手段と、
一端が、容器蓋の前記上面に回動可能に取り付けられたシールプレートと、
前記回動端と反対側で前記シールプレートに取り外し可能に配置されたガスケットと、
前記シールプレート上の通気閉鎖手段とを含み、
前記シールプレートは、第１の下降閉位置と第２の上昇位置との間で片持ち動作で回動可能でき、ガスケットは、注ぎ口に挿入され、且つ注ぎ口を密封する、
液体容器蓋。
【請求項２】
前記通気口手段は、通気口からなる請求項１に記載の液体容器蓋。
【請求項３】
前記通気口は、蓋の上面に、且つ前記注ぎ口の後ろに配置されており、前記シールプレートが前記第１の下降閉鎖位置にあるときに前記通気口閉鎖手段が、前記通気口を塞ぐ請求項２に記載の液体容器蓋。
【請求項４】
蓋の上面に、且つ前記通気手段の後ろに配置された一対のＵ形突出部をさらに含む請求項１に記載の液体容器蓋。
【請求項５】
シールプレートは、シールプレートの下面と一体のトラニオンをさらに含む請求項１に記載の液体容器蓋。
【請求項６】
前記シールプレートの前記トラニオンは、前記一対のＵ形突出部に係合し、前記トラニオンは、前記通気口閉鎖手段の後ろに位置決めされている請求項５に記載の液体容器蓋。
【請求項７】
前記通気口閉鎖手段は、前記シールプレートの前記下面と一体で、下面から下方に延びるポストであり、前記ポストは、前記通気口を密封するために前記通気口に受け入れられるように寸法決めされ、且つ構成されている請求項５に記載の液体容器蓋。
【請求項８】
ガスケットは、シリコンで作られる請求項１に記載の液体容器蓋。
【請求項９】
前記容器は、前記上周辺リムの近くに、且つ上周辺リムの下で前記外壁に配置された、一対の向かい合う窪みをさらに含む請求項１に記載の液体容器蓋。
【請求項１０】
前記蓋は、螺合可能、且つ取り外し可能に前記容器に固定される請求項１に記載の液体容器蓋。
【請求項１１】
前記容器蓋の下平坦面から上方に延びる突出部をさらに含み、前記トラニオンは、シールプレートが下降位置にあるときに所定位置に固定するために、前記突出部に楔状嵌めで係合するカムを含む請求項６に記載の容器蓋。
【請求項１２】
シールプレートの下面と一体で、且つ下面から下方に延びるガスケット受けポストをさらに含み、前記ガスケットは、前記ガスケット受けポストに取り外し可能に受け入れられる請求項１に記載の液体容器。
【請求項１３】
前記ガスケットは、アンダーカット領域を有する密封ヘッドを含み、前記注ぎ口は、その内側部分に第２のアンダーカット領域を有し、前記密封ヘッドの前記アンダーカット領域は、注ぎ口の前記内側部分の前記第２のアンダーカット領域に嵌り、且つ係合する請求項１２に記載の液体容器蓋。
【請求項１４】
外壁及び開口を境界付ける上周辺リムを有する容器用の液体容器蓋であって、
蓋の上面に配置された注ぎ口と、
蓋の上面に配置された通気口手段と、
一端が、容器蓋の前記上面に回動可能に取り付けられたシールプレートと、
前記回動端と反対側で前記シールプレートに取り外し可能に配置されたガスケットと、
前記シールプレート上の通気口閉鎖手段とを含み、
前記シールプレートは、片持ち動作で回動でき、
前記容器及び前記容器蓋は、前記シールプレートを第１の下降閉鎖位置から第２の上昇開位置に移動させるために、ユーザが片手で前記容器を掴み、それと同時に前記シールプレートを押すことができるように寸法決めされ、且つ構成される、
液体容器蓋。
【請求項１５】
前記上周囲リムの近く、且つその下で前記外壁に配置された、一対の向かい合う窪みをさらに含み、前記容器は、前記向かい合う窪みに配置されるユーザの親指、中指、及び薬指で掴まれ、ユーザの人差し指が前記シールプレートを押し下げるのに使用される請求項１４に記載の液体容器蓋。
【請求項１６】
容器蓋密封機構を操作する方法であって、
容器蓋の上面に注ぎ口を設け、
蓋の上面で前記注ぎ口の後ろに通気口を設け、
蓋の上面で前記通気口の後ろに一対のＵ形突出部を設け、
その下面にトラニオンを有するシールプレートを設け、
下面から下向きに延び、前記トラニオンと向かい合うポストを設け、
シールプレートの前記ポストに、ガスケットを取り外し可能に設け、
片手で容器を掴み、これと同時にシールプレートを同じ手の人差し指で押すことによって、前記シールプレートを、第１の下降閉鎖位置から第２の上昇位置まで片持ち動作で回動移動させることを含む、
方法。
【発明の詳細な説明】
【技術分野】
【０００１】
本発明は、容器蓋に向けられ、より具体的には、注ぎ口を有し、さらに注ぎ口のためのガスケット付き密封機構を有する容器蓋に向けられる。
【背景技術】
【０００２】
従来技術の液体分配容器蓋は、一般的に密封部材及び液体を分配するための注ぎ口を含む。
【０００３】
或る従来技術の液体分配容器蓋の欠点の一つは、ユーザが注ぎ口を密封する操作しやすい密封機構の欠如である。
【０００４】
その上、或る従来技術の液体分配容器蓋のさらなる欠点は、注ぎ口を密封するためのシリコン製の密封ガスケットを持たないこと、及び液体内容物の分配及び注ぎを容易にする、注ぎ口とは別の通気口をもたないことである。
【発明の概要】
【発明が解決しようとする課題】
【０００５】
従って、本発明の第１の目的は、容器を保持すること及び密封機構を操作することの両方について、ユーザが片手を使って容易に操作できる密封機構を有する液体容器蓋を提供することにある。
【０００６】
本発明のさらなる目的は、別の通気口を有する液体容器蓋の注ぎ口のためのシリコンガスケットを提供することにある。
【課題を解決するための手段】
【０００７】
これら及び他の問題は、容器に使用される液体容器蓋からなり、該蓋が、蓋の上面に配置された注ぎ口と、蓋の上面に、且つ注ぎ口の後ろに配置された通気口と、蓋の上面に、且つ通気口の後ろに配置された一対のＵ形突出部と、その下面にトラニオンを有するシールプレートと、下面から下方に延び、トラニオンと向かい合うポストと、シールプレートのポスト上に取り外し可能に配置されたガスケットと、を有し、シールプレートのトラニオンが、一対のＵ形突出部に回動可能に係合し、シールプレートが、第１の上昇位置からガスケットが注ぎ口に挿入され注ぎ口を密閉する第２の下降位置まで片持ち動作で回動させる、本発明によって取り組まれる。
【０００８】
本発明のこれら及び他の目的は、本発明の好ましい実施形態の詳細な説明及び図面から当該分野の当業者に認識され、且つ理解されるであろう。
【図面の簡単な説明】
【０００９】
【図１】本発明の好ましい実施形態による容器蓋及び密封機構と共に容器の分解図である。
【図２】容器蓋を容器に固定し、密封機構が閉位置にある、容器と容器蓋の組み合わせの斜視図である。
【図３】密封機構が開位置にあり、その片手操作を示す、容器と容器蓋の組み合わせの斜視図である。
【図４】密封機構が開位置にある、蓋容器の断面図である。
【図５】密封機構が閉位置にある、蓋容器の断面図である。
【図６】図５に示す、閉位置にある密封機構用のガスケットの拡大断面図である。
【図７】図５に示す、密封機構の回動構造と通気口の拡大断面図である。
【発明を実施するための形態】
【００１０】
今、より具体的には図１−３を参照すると、図は、本発明の好ましい実施形態を図示する目的のためであり、本発明を限定する目的のためではなく、限定されないが、醤油のような液体内容物を入れるための容器を一般的に１０で示し、容器は、外壁１２、底１４、及び容器１０の内部にアクセスするための開口１８を境界付ける上周囲リム１６を含むほぼ円筒形態を有する。上周囲リム１６は、複数の外側ねじ山２０を含み、後述されるように蓋の対応するねじ山と係合する。
【００１１】
各々ほぼ円形形態を有する、一対の向かい合う凹み又は窪み２２が、容器の外壁１２に配置され、又は外壁１２と一体となっており、上周囲リム１６の近くでリムの下方に位置決めされている。ここでより詳細に説明されるように、一対の向かい合う窪み２２は、密封機構の片手操作を利用するために、ユーザの指のより良いグリップを提供する。
【００１２】
今、図１及び４−５を参照すると、蓋が、一般的に２４で示され、蓋は、容器の直径と同じ大きさの直径のほぼ円筒形状及び形態であり、さらに外壁２６を含み、外壁は、容器１０に蓋２４を取り外し可能に固定するために容器の上周囲リム１６のねじ山２０に解放可能に係合するための複数の雌ねじ山を有している。
【００１３】
蓋２４は、蓋２４の直径に渡り、一対の対向する壁３２によって境界付けされた横方向切り欠き部３０を含み、下方平坦面部分３４及び傾斜背面部分３６をさらに含む。注ぎ口３８が、下方平坦面部分３４と一体になり、且つ下方平坦面部分から上方に延びる。注ぎ口３８は、その上周辺部に固定された注ぎリップ４０を含む。通気口４２が、注ぎ口３８の後方で、下方平坦面部分３４に位置決めされ、且つ下方平坦面部分から上方に延びる。一対のＵ形突出部４４が、下方平坦面部分３４と一体となり、且つ低平面部分から上方に延びる。Ｕ形突出部４４は、通気口４２の後方に位置決めされている。従って、図１から最もよく分かるように、通気口４２は、蓋２４の下方平坦面部分３４上の注ぎ口３８と一対のＵ形突出部４４の間に位置決めされる。容器が、液体が注がれている間、注ぎ口を通して同時に通気することができるように、通気口の代わりに拡大注ぎ口有する変形例（図示せず）が考えられることに気づく。
【００１４】
今、図４及び５を参照すると、密封機構を説明する。密封機構は、主として、上面４８と下面５０のほぼ長方形状及び形態を有するシールプレート４６を含む。シールプレート４６が閉部分にあるときに蓋が完全な円筒形態を有するように、下方に延びる前フランジ５２が、ほぼ横方向切り欠き部３０の深さの寸法にほぼ寸法決めされている。シールプレート４６を回動操作するためにユーザの指により良いグリップを提供する、横方向隆起部５４が、シールプレート４６の後ろに位置決めされている。
【００１５】
構造の詳細をここに、より詳細は後述するガスケット受けポスト５６が、シールプレート４６の下面５０と一体となり、下面から下方に延びる。円筒形状及び形態を有する通気口閉鎖ポスト５８も、下面５０と一体であり、且つ下面５０から下方に延び、シールプレート４６が閉位置にあるとき、通気口４２内に受け入れられ、且つ通気口を閉じるように位置決めされている。トラニオン６０が、シールプレート４６の下面５０と一体になっており、通気口閉鎖ポスト５８の後ろに位置決めされており、一対のＵ形突出部４４内に取り外し可能に受け入れられる。トラニオン６０は、一対のＵ形突出部４４内で回動し、シールプレートに第１の上昇位置と第２の下降位置との間で片持ち回動動作をさせる。
【００１６】
図７から最もよく分かるように、トラニオン６０は、楔状嵌め（a wedge-like fit)で下方平坦面部分３４から上方に延びる突出部６４に係合し、且つシールプレート４６が下降閉鎖密封位置にあるときにシールプレート４６を係止状態に維持するカム６２を含む。
【００１７】
今、図６を参照すると、ガスケット受けポスト５６は、シールプレート４６の下面５０と一体になり、シールプレートの低面から下方に延びる細長い円筒体６６を含み、外壁６８をさらに含む。ガスケット受けポスト５６は、細長い円筒体６６と一体であり、円筒体から下方に延びる裁頭円錐形ヘッド７０を有し、このヘッドは、細長い円筒体６６の直径よりも大きい直径を含み、従って、ヘッドと円筒体の間の接続箇所に段領域７２を作る。
【００１８】
ガスケット７４が、裁頭円錐形ヘッド７０に固定されているものとして示される。ガスケット７４は、認可済みシリコン又は他の可撓性・弾性材料から作られるのが好ましい。ガスケット７４は、開口７８を境界付けるほぼ長方形断面を有する環状リム７６を含み、開口７８は、裁頭円錐形ヘッド７０を受け入れるための、裁頭円錐型ヘッド７０と同じ形状及び形態を有する。環状リム７６は、段領域７２に係合するアンダーカット部分８０を含み、これによりガスケット７４をガスケット受けポスト５６に固定する。
【００１９】
ガスケット７４は、アンダーカット領域８４を有する密封ヘッド８２を含み、アンダーカット領域８４は、注ぎ口３８の内側部分のアンダーカット領域８６に嵌り、且つ係合し、従って、注ぎ口３８を密封する。シールプレート４６は、密封ヘッドにあるアンダーカットと注ぎ口３８のアンダーカットの係合、及びカム６２と突出部６４の係合の両方を伴って、下降閉鎖位置のままであることに気づくべきである。限定されないが、醤油、調理油、又はオリーブオイルのような容器の或る液体内容物が、注ぎ口３８の内面とガスケットの外面の間に潤滑をなすことに気づくべきである。このような液体が注ぎ口３８から、注ぎリップ４０を経て注がれると、残留量の液体が注ぎ口３８とリップ４０の表面に残る。シールプレート４６のガスケット７４が開位置から下降閉鎖位置に移動すると、残留量の液体が、ガスケット７４と注ぎ口３８の間に潤滑剤として作用する。液体は、ユーザがシールプレート、及びガスケットを下降閉鎖位置から開位置に上昇させるときにも潤滑剤として作用する。
【００２０】
図３から最も分かるように、シールプレートの片手操作又は一本指操作を示す。ユーザは、ユーザの手の掌を容器の外壁２２に押し当て、窪み２２の一方に配置され、且つグリップしているユーザの親指８８と、他方の向かい合う窪み２２に配置されたユーザの中指９０及び薬指９２とで容器１０を保持することができる。ユーザの同じ手の人差し指９４は、片持ち回動動作でシールプレート４６を上昇させて、ガスケット７４を注ぎ口３８から係合離脱させるために、シールプレート４６の横方向隆起部５４を実際に押すことができる。
【００２１】
本発明の好ましい実施形態を図示し説明したが、本発明の精神及び範囲を逸脱することなしに、種々の修正、及び変更を行うことができる。従って、本発明を、例示により説明したに過ぎず、この説明は、ここに添付した幾つかの請求項を限定するものと解釈すべきでないことを理解すべきである。
【図１】
2009227342.tif 000003
【図２】
2009227342.tif 000004
【図３】
2009227342.tif 000005
【図４】
2009227342.tif 000006
【図５】
2009227342.tif 000007
【図６】
2009227342.tif 000008
【図７】
2009227342.tif 000009